(57)【要約】【課題】キセノンランプの始動時、高電圧パルスを印加するプラス側配線からマイナス側配線への電圧のリークを防止する。【解決手段】電源５０とキセノンランプ２０との間にイグナイタ６０を介在させる。イグナイタ６０は、電源５０が発生する電圧を昇圧させた高電圧パルスをランプ電極間に重畳する。キセノンランプ２０のプラス電極を、イグナイタ６０内の高電圧パルスを発生させるテスラコイルにプラス側配線６１を介して接続する。キセノンランプ２０のマイナス電極を、マイナス側配線６２を介して、イグナイタ６０を経由して電源５０のマイナス側に接続する。キセノンランプ２０に、始動時のランプ電極間の絶縁破壊に２３ｋＶの電圧を必要とするランプを用いる。プラス側配線６１及びマイナス側配線６２には、導線を被覆する絶縁体の厚さが約１．７５ｍｍ（ミリメートル）あるケーブルを用いる。【選択図】        図２
2004180806.tif 000002
【特許請求の範囲】
【請求項１】
キセノンランプと、
電源と、
前記キセノンランプを始動させるために、前記電源が発生する電圧を昇圧させた高電圧を前記キセノンランプに印加するイグナイタと、
前記イグナイタと前記キセノンランプのプラス電極とを接続するプラス側配線と、
前記イグナイタと前記キセノンランプのマイナス電極とを接続するマイナス側配線とを備え、
前記プラス側配線から前記マイナス側配線への電圧のリークを防止するよう構成されたことを特徴とする内視鏡光源装置。
【請求項２】
前記プラス側配線及び前記マイナス側配線は、導線を被覆する絶縁体が前記電圧のリークの防止に十分な厚さを有する高圧ケーブルであることを特徴とする請求項１に記載の内視鏡光源装置。
【請求項３】
前記プラス側配線と前記マイナス側配線とが、始動時に前記キセノンランプに印加される電圧の電圧値に対応して、前記電圧のリークが防止されるよう離間して位置づけられることを特徴とする請求項１に記載の内視鏡光源装置。
【請求項４】
前記プラス側配線と前記マイナス側配線の間に絶縁物が配設されることを特徴とする請求項３に記載の内視鏡光源装置。
【請求項５】
前記キセノンランプを保持する筐体の一側面において、前記プラス側配線が配設される第１の溝と、前記マイナス側配線が配設される第２の溝が形成され、
前記第１及び第２の溝は、前記電圧のリークの防止が可能な程度に、離間させられていることを特徴とする請求項３に記載の内視鏡光源装置。
【発明の詳細な説明】
【０００１】
【発明の属する技術分野】
本発明は、内視鏡に照明光を供給する光源装置に関する。
【０００２】
【従来の技術】
従来、内視鏡は体内に挿入される挿入部先端から前方に照明光を照射し、被観察体の観察を行う。この照明光は、内視鏡が接続される光源装置に備えられた光源から供給される。光源としてはキセノンランプが用いられる。キセノンランプは、点光源である、瞬時の再点灯が可能である、太陽光と分光分布が似ているため、照明光として照射した場合、自然な発色が得られる等の理由から、医療用内視鏡の光源として適切だからである。
【０００３】
電源とキセノンランプの間にはイグナイタが介在させられ、電源が発生する電圧をイグナイタにより高電圧に昇圧し、キセノンランプに印加することによりキセノンランプは始動（点灯）される。すなわち、キセノンランプはランプ内の電極に高電圧パルスが重畳されると始動する。
【０００４】
【発明が解決しようとする課題】
イグナイタにより重畳される電圧は高電圧であるため、プラス側の電極に接続される配線からマイナス側に接続される配線へ電圧がリークする場合がある。ところが、電圧がリークすると十分な駆動電圧をキセノンランプに供給することができず、キセノンランプを始動させることができない。上述のように、キセノンランプは照明光を供給する光源として用いられるため、キセノンランプが不点灯だと内視鏡による観察を開始することができないという問題がある。
【０００５】
本発明は以上の問題を解決するものであり、内視鏡の照明光の光源として用いられるキセノンランプの不点灯を防止することを目的とする。
【０００６】
【課題を解決するための手段】
本発明に係る内視鏡光源装置は、キセノンランプと、電源と、キセノンランプを始動させるために、電源が発生する電圧を昇圧させた高電圧をキセノンランプに印加するイグナイタと、イグナイタとキセノンランプのプラス電極とを接続するプラス側配線と、イグナイタとキセノンランプのマイナス電極とを接続するマイナス側配線とを備え、プラス側配線からマイナス側配線への電圧のリークを防止するよう構成されたことを特徴とする。これにより、キセノンランプの不点灯が防止されるため、内視鏡による医療行為の開始が妨げられることがない。
【０００７】
好ましくは、プラス側配線及びマイナス側配線は、導線を被覆する絶縁体が電圧のリークの防止に十分な厚さを有する高圧ケーブルである。
【０００８】
好ましくは、プラス側配線とマイナス側配線とが、始動時にキセノンランプに印加される電圧の電圧値に対応して、電圧のリークが防止されるよう離間して位置づけられる。例えば、プラス側配線と前記マイナス側配線の間に絶縁物が配設される。また、例えば、キセノンランプを保持する筐体の一側面において、プラス側配線が配設される第１の溝と、マイナス側配線が配設される第２の溝が形成され、第１及び第２の溝は、プラス側配線から前記マイナス側配線への電圧のリークの防止が可能な程度に、離間させられている。
【０００９】
【発明の実施の形態】
以下、本発明の実施の形態を図面を参照して説明する。
図１〜図３は、本発明に係る第１実施形態が適用される内視鏡の光源装置１の内部構成を模式的に示す図である。図１は光源装置の内部構成の平面図、図２は図１においてＳ１方向から示す側面図、図３は図１においてＳ２方向から示す側面図である。尚、図３において、内部構成の主要部を明示するため、一部の部材は切り欠いて示される。光源装置１の筐体内には、外側形状が四角柱状を呈する中空のランプハウス１０が配設される。ランプハウス１０内には光源としてキセノンランプ２０が配設される。ランプハウス１０の対向する一対の側面１１、１２は開口している。ヒートシンク３０は、平行な一対のフィン部３１、３２とこれらのフィン部３１、３２を連結する連結部３３とを有する。ヒートシンク３０は、フィン部３１、３２がそれぞれランプハウス１０の側面１１、１２の近傍に位置づけられるよう、ランプハウス１０内において配置される。ヒートシンク４０も一対のフィン部４１、４２と、フィン部４１、４２を連結する連結部４３とを有し、ヒートシンク３０と同様の態様でランプハウス１０内に配置される。ヒートシンク３０、４０により、キセノンランプ２０の駆動時に発する熱が放熱される。
【００１０】
光源装置１の内部に設けられる電源５０は例えば商用電源回路や電池であり、キセノンランプ２０を駆動するための直流定電圧を発生させる。電源５０とキセノンランプ２０との間にはイグナイタ６０が介在させられる。イグナイタ６０は、キセノンランプ２０の始動時、キセノンランプ２０内のランプ電極（図示せず）の間を絶縁破壊するために、電源５０が発生する電圧を昇圧させた高電圧パルスをランプ電極間に重畳する。キセノンランプ２０のプラス電極は、イグナイタ６０内の高電圧パルスを発生させるテスラコイル（図示せず）にプラス側配線６１を介して接続される。キセノンランプ２０のマイナス電極は、マイナス側配線６２を介して、イグナイタ６０を経由して電源５０のマイナス側に接続される。
【００１１】
第１実施形態では、キセノンランプ２０に、始動時のランプ電極間の絶縁破壊に２３ｋＶ（キロボルト）を必要とするキセノンランプが用いられる。プラス側配線６１及びマイナス側配線６２には、導線を被覆する絶縁体（電気的絶縁体）の厚さが約１．７５ｍｍ（ミリメートル）あるケーブルが用いられる。従って、キセノンランプ２０の始動時、イグナイタ６０により２３ｋＶまで昇圧された高電圧パルスがキセノンランプ２０のランプ電極間に重畳されるとき、プラス側配線６１からマイナス側配線６２に電圧がリークすることが防止される。言い換えると、第１実施形態では、ランプ電極間に重畳される高電圧パルスの大きさに応じて、電圧がリークすることが防止されるよう、適切な厚さの被覆を有する線材がプラス側配線６１及びマイナス側配線６２として用いられる。
【００１２】
図４〜図６は、本発明に係る第２実施形態が適用される内視鏡の光源装置１の内部構成を模式的に示す図であり、図４は内視鏡光源装置１の内部構成の平面図、図５は図４においてＳ１方向から示す側面図、図６は図４においてＳ２方向から示す側面図である。図４〜図６において、図１〜図３と同様の部材には同一の符号が付されている。ランプハウス１０の上面において、プラス側配線６１とマイナス側配線６３との間には、プラス側配線６１とマイナス側配線６３の配線形態に対応した断面形状がＬ字型の仕切り部材６４が配設される。仕切り部材６４は電気的絶縁材料を成型した絶縁物である。仕切り部材６４は、２３ｋＶの高電圧パルスに対応して、仕切り部材６４を挟んで位置するプラス側配線６１とマイナス側配線６３の間隔が２５ｍｍより狭くならないよう、十分な厚さを有している。従って、マイナス側配線６３に導線を被覆する絶縁体の厚さが薄いケーブルを用いても、キセノンランプ２０の始動時、プラス側配線６１からマイナス側配線６３に電圧がリークすることが防止される。
【００１３】
図７は、本発明に係る第３実施形態が適用される内視鏡の光源装置１の内部構成を模式的に示す平面図であり、図８は図７のランプハウス７０の上面の一部を拡大して示す斜視図である。図７及び図８において、第１及び第２実施形態と同様の部材には、同一の符号が付されている。キセノンランプ２０（図２参照）及びヒートシンク３０、４０（図２参照）が内部に配設されるランプハウス７０の上面は、絶縁体で形成され、プラス側配線６１とマイナス側配線６３の配線経路に対応したＬ字型の２つの溝７１、７２が刻設されている。溝７１にはプラス側配線６１が配設され、溝７２にはマイナス側配線６３が配設されている。それぞれの溝内に配設されるプラス側配線６１とマイナス側配線６３の間隔が、２３ｋＶの高電圧パルスに対応して、２５ｍｍより狭くならないよう、溝７１と溝７２の間は所定の間隔をおいて形成されている。従って、第２実施形態と同様、マイナス側配線６３に導線を被覆する絶縁体の厚さが薄いケーブルを用いても、キセノンランプ２０の始動時、プラス側配線６１からマイナス側配線６３に電圧がリークすることが防止される。
【００１４】
尚、本発明は、電子内視鏡装置の光源装置（プロセッサ）においても応用可能である。
【００１５】
【発明の効果】
以上のように、本発明によれば、内視鏡の照明光の光源として用いられるキセノンランプの不点灯が防止される。
【図面の簡単な説明】
【図１】本発明に係る第１実施形態が適用される内視鏡の光源装置の内部構成を模式的に示す平面図である。
【図２】図１の光源装置の内部構成を図１のＳ１方向から模式的に示す側面図である。
【図３】図１の光源装置の内部構成を図１のＳ２方向から模式的に示す側面図である。
【図４】本発明に係る第２実施形態が適用される内視鏡の光源装置の内部構成を模式的に示す平面図である。
【図５】図４の光源装置の内部構成を図１のＳ１方向から模式的に示す側面図である。
【図６】図４の光源装置の内部構成を図１のＳ２方向から模式的に示す側面図である。
【図７】本発明に係る第３実施形態が適用される内視鏡の光源装置の内部構成を模式的に示す平面図である。
【図８】図７のランプハウスの上面の一部を拡大して示す斜視図である。
【符号の説明】
１  光源装置
１０、７０  ランプハウス
２０  キセノンランプ
３０、４０  ヒートシンク
５０  電源
６０  イグナイタ
６１  プラス側配線
６２、６３  マイナス側配線
【図１】
2004180806.tif 000003
【図２】
2004180806.tif 000004
【図３】
2004180806.tif 000005
【図４】
2004180806.tif 000006
【図５】
2004180806.tif 000007
【図６】
2004180806.tif 000008
【図７】
2004180806.tif 000009
【図８】
2004180806.tif 000010